(57)【要約】【課題】洗濯槽内側周囲からの突出量を少なくして、しかもリントを効果的に捕集できる新たなリントフィルター構造を提案すること。【解決手段】洗濯脱水槽３の底面３Ａと隙間を有して回転自在に配置されたパルセータ４とを備え、パルセータ４は洗濯脱水槽３の底面３Ａと対向する下面に少なくとも１つの裏羽根４ａを有し、裏羽根４ａが、パルセータ４の回転により、洗濯脱水槽３の底部の水を押し出すポンプとして作用する洗濯機であって、裏羽根４ａのポンプ作用により押し出された水を上方に導く流路６１，６２を左右に備えた水路ベース６０が、洗濯脱水槽３の内側に設けられており、水路ベース６０の流路６１，６２を上昇した水を取り込んで水中に含まれるリントを捕集するリントフィルター７１を備えたリントフィルターボックス７０が、水路ベース６０の左右の流路６１，６２の間に挿入されている洗濯機。【選択図】図１
2008228757.tif 000002
【特許請求の範囲】
【請求項１】
外槽内に配置された洗濯脱水槽と、前記洗濯脱水槽の底面と隙間を有して回転自在に配置されたパルセータとを備え、前記パルセータは洗濯脱水槽の底面と対向する下面に少なくとも１つの裏羽根を有し、前記裏羽根が、前記パルセータの回転により、前記洗濯脱水槽の底部の水を押し出すポンプとして作用する洗濯機であって、
前記裏羽根のポンプ作用により押し出された水を上方に導く流路を左右に備えた水路ベースが、前記洗濯脱水槽の内側に設けられており、
前記水路ベースの前記流路を上昇した水を取り込んで水中に含まれるリントを捕集するリントフィルターを備えたリントフィルターボックスが、前記水路ベースの前記左右の流路の間に挿入されている、ことを特徴とする洗濯機。
【請求項２】
前記左右の流路は、それらの間隔が下側から上側に行くに従って広くなる逆八の字状に配置されている、ことを特徴とする請求項１記載の洗濯機。
【請求項３】
前記左右の流路の下端部に上昇する水を前記左右の流路に分けるテーパ状の下部誘導板を備えている、ことを特徴とする請求項１または２記載の洗濯機。  
【請求項４】
前記テーパ状下部誘導板の下側中央部に水が通過可能なスリットを設けている、ことを特徴とする請求項３記載の洗濯機。  
【請求項５】
前記左右の流路の上部に、上昇した水を前記左右の流路の間の中間部に向かわせる上部誘導板を備えている、ことを特徴とする請求項１〜４のいずれかに記載の洗濯機。
【請求項６】
前記リントフィルターボックスは、前記水路ベースの前記流路から水を取り込む水取込口が左右に形成されており、前記左右の水取込口からの中間部に、前記左右の水取込口からの水流を下方に向ける中間部誘導板を備えている、ことを特徴とする請求項１〜５のいずれかに記載の洗濯機。
【請求項７】
前記リントフィルターボックスの前記水取込口の下端部に、前記リントフィルターボックスの内側下方に向かう水呼び込み傾斜面が形成されている、ことを特徴とする請求項６記載の洗濯機。
【請求項８】
前記リントフィルターボックスの内側上下方向の途中に、水中に含まれるリントを捕集するリント戻り防止リブを備えている、ことを特徴とする請求項１〜７のいずれかに記載の洗濯機。
【請求項９】
前記左右の流路の下端部に、前後の流路断面積より狭い流路断面積を有した流路絞り部を備えている、ことを特徴とする請求項１〜８のいずれかに記載の洗濯機。
【請求項１０】
前記水路ベースは前記洗濯脱水槽の内周面に固着されて取り付けられており、前記水路ベースの前記左右の水路の外縁の前記洗濯脱水槽内周面との接触面に水密用のシール材が貼付されている、ことを特徴とする請求項１〜９のいずれかに記載の洗濯機。
【請求項１１】
前記リントフィルターボックスは、前部に横長のスリットが縦方向に複数形成され、前記複数のスリットの集合部の内側面に前記リントフィルターが貼付されているリントフィルターボックスカバーと、前記リントフィルターボックスカバーを組み付けて前記水路ベースに取り付けるリントフィルターボックスベースとを有している、ことを特徴とする請求項１〜１０のいずれかに記載の洗濯機。
【請求項１２】
前記リントフィルターボックスの前部は、水平方向に平行に配置された複数の水平リブにより前記複数のスリットが形成され、前記水平リブの間には前記水平リブと直交する垂直リブが前記水平リブの先端面より後退させて配置されており、それら水平リブと垂直リブの後端面に前記リントフィルターが貼付されている、ことを特徴とする請求項１１記載の洗濯機。
【請求項１３】
前記水平リブと前記垂直リブの後端面は同一平面上に形成されている、ことを特徴とする請求項１２記載の洗濯機。
【請求項１４】
前記リントフィルターボックスベースは、前記リントフィルターボックスカバーを保持し、かつ上端部に前記水路ベースと弾性力で係合する板ばね部が形成されている、ことを特徴とする請求項１１〜１３のいずれかに記載の洗濯機。
【請求項１５】
前記板ばね部の上端面前側部に、前記水路ベースの上部に設けられた突起係止部と係合する左右一対の突起が形成されており、前記一対の突起の間に前記板ばね部を押圧するための押圧スペースが設けられていて、それにより前記リントフィルターボックスが前記水路ベースに対して着脱自在となっている、ことを特徴とする請求項１１〜１４のいずれかに記載の洗濯機。
【請求項１６】
前記水路ベースと前記リントフィルターボックスカバーは、ガラス混合樹脂により形成されている、ことを特徴とする請求項１１〜１５のいずれかに記載の洗濯機。
【請求項１７】
前記リントフィルターボックスベースは、前記リントフィルターボックスカバーを形成するガラス混合樹脂よりガラスの割合が少ないガラス混合樹脂またはガラス配合のない樹脂により形成されている、ことを特徴とする請求項１６記載の洗濯機。
【請求項１８】
前記リントフィルターボックスベースの前記板ばね部の色を、前記リントフィルターボックスカバーおよび前記水路ベースの色と相違させている、ことを特徴とする請求項１４記載の洗濯機。
【請求項１９】
前記水路ベースの外殻を構成している左右の端面は前記洗濯脱水槽の中心方向に向かって狭まるテーパ状に形成されている、ことを特徴とする請求項１〜１８のいずれかに記載の洗濯機。
【請求項２０】
前記水平リブの間の空間距離をh1、前記水平リブの先端面から前記垂直リブの先端面までの距離をd1としたとき、tan-1(h1/d1)≦65°とすることを特徴とする請求項１２記載の洗濯機。
【請求項２１】
前記水平リブの間の空間距離をh1、前記水平リブの先端面から後端面までの距離をd2としたとき、tan-1(h1/d2)≦50°とすることを特徴とする請求項１２記載の洗濯機。
【請求項２２】
前記洗濯脱水槽が傾斜していることを特徴とする請求項２０または２１記載の洗濯機。
【請求項２３】
前記水路ベースおよび前記リントフィルターボックスを有したリントフィルター構造体が、前記洗濯脱水槽の複数箇所に備えられている、ことを特徴とする請求項１〜２２のいずれかに記載の洗濯機。
【発明の詳細な説明】
【技術分野】
【０００１】
この発明は、洗濯機に関し、特にそのリントフィルター構造に関連する。
【背景技術】
【０００２】
従来の洗濯機では、リントフィルター構造として、袋状のフィルターを洗濯槽内に出すか水路内に埋め込んでいるものが広く知られている。
また、洗濯槽の内側周囲に前後２列の流路を設け、後側から前側に水をポンプアップして、前側流路に配した捕集袋にリントを溜めるようにしたものもある（例えば、特許文献１）。
【０００３】
【特許文献１】特許第３４３９１０８号公報
【発明の開示】
【発明が解決しようとする課題】
【０００４】
しかしながら、袋状のフィルターが槽内に出ていると、洗濯時や乾燥時に衣類とフィルターが直接当たりフィルターが破損するおそれがあり、また意匠的にも優れない。
また、フィルターを水路内に埋め込む場合には、収容容積が小さくなってしまう。
さらに、洗濯槽の内側周囲に前後２列の流路を設けた場合には、その流路構造部分の洗濯槽内への突出量が多くなり、洗濯・乾燥時の攪拌時に衣類がその流路構造部分に引っかかって、衣類の攪拌の障害となったり、モータ負荷の増大を招くおそれがある。
【０００５】
この発明は、上記のような課題を解決するためになされたもので、洗濯槽内側周囲からの突出量を少なくして、しかもリントを効率よく捕集できる新たなリントフィルター構造を提案するものである。
【課題を解決するための手段】
【０００６】
この発明の洗濯機は、外槽内に配置された洗濯脱水槽と、前記洗濯脱水槽の底面と隙間を有して回転自在に配置されたパルセータとを備え、前記パルセータは洗濯脱水槽の底面と対向する下面に少なくとも１つの裏羽根を有し、前記裏羽根が、前記パルセータの回転により、前記洗濯脱水槽の底部の水を押し出すポンプとして作用する洗濯機であって、前記裏羽根のポンプ作用により押し出された水を上方に導く流路を左右に備えた水路ベースが、前記洗濯脱水槽の内側に設けられており、前記水路ベースの前記流路を上昇した水を取り込んで水中に含まれるリントを捕集するフィルターを備えたリントフィルターボックスが、前記水路ベースの前記左右の流路の間に挿入されているものである。
【発明の効果】
【０００７】
この発明の洗濯機は、パルセータの裏羽根のポンプ作用により押し出された水を上方に導く流路を左右に備えた流路の間にリントフィルターボックスを挿入しているため、リントフィルタ部分の洗濯槽内側周囲からの突出量を少なくできる。また、上記構成によれば、リントフィルターボックスを洗濯槽内側面に沿って縦長形状に配置できるため、フィルタ面積が大きく取れ効率のよいリント捕集が可能となる。
【発明を実施するための最良の形態】
【０００８】
（洗濯機の全体構成）
図１は本発明の実施の形態に係る洗濯機の構成を示す断面図である。この洗濯機は、筐体１の中に、吊り下げられた外槽（水槽）２を有し、外槽２の内側に洗濯脱水槽３が配置されている。なお、この実施の形態では、外槽２を傾動可能に吊り下げている。
洗濯脱水槽３の底部には、表面（上面）が傾斜し、洗濯脱水槽３の底面３Ａと対向する裏面（下面）に水のポンプアップ作用を果たす裏羽根４ａを少なくとも１つ有したパルセータ４が、洗濯脱水槽３の底面３Ａと隙間を有して回転自在に配置されている。外槽１の底部外側にはモータ５が配置されており、そのモータ５の回転を伝達する回転伝達軸６が回転パルセータ４の回転中心と、洗濯脱水槽３の底部の回転中心とに連結または連結可能とされていて、回転パルセータ４や洗濯脱水槽３の回転駆動源となっている。なお、パルセータ４は、洗い行程、すすぎ行程、乾燥行程などにおいて、正転と反転を繰り返して、洗濯脱水槽３内の水や洗濯物を攪拌する。
【０００９】
外槽２は、筐体１に固定された吊り板９から吊した吊り棒１０，１１を利用し、外槽２の下部に設けた吊り棒受け部１２にて、吊り棒１０，１１の下端部に設けられた弾性支持部１３を支持させることにより、筐体１内で傾動させることを可能にしている。この例では、外槽２の後側に配した吊り棒１１を上下に移動させることで外槽２を傾動させている。なお、この例で、吊り棒１０は外槽２の前側の吊り棒を、吊り棒１１は外槽２の後側の吊り棒を表しており、それぞれ２本ずつ設けるのが好ましい。
【００１０】
外槽２の外周には、洗濯脱水槽３の底部から出た空気を上方へ流す風路２０を備えており、その風路２０の内側には、風路２０内を流れる空気を除湿する除湿板２１が配置されている。この例で、風路２０は洗濯脱水槽３とともに空気の循環風路の一部を構成しており、その循環風路の風路２０と洗濯脱水槽３との間には、乾燥フィルター２２、ファン２３、ヒータ２４が配置されている。
【００１１】
筐体１の上面前側部には洗濯物の出し入れ口があり、それは扉３０で開閉自在となっている。筐体１の上面中間部には洗剤をいれる洗剤ケース３１が形成されている。筐体１の上面後側部には、給水口３２が設けられており、給水口３２から取り入れられた水は、分岐弁３３で、洗濯脱水槽３内または除湿板２１へ切替られる。
筐体１の底部には底枠４０が配置され、それに遮音板４１やゴム足４２等が取り付けられている。
【００１２】
洗濯脱水槽３の側板３Ｂには、水を排出する孔３ａが複数形成されており、また、側板３Ｂの上部には洗濯脱水槽３のバランスをとるための流体バランサー３ｂが設けられている。
さらに、洗濯脱水槽３の側板３Ｂの内側には、リントを捕集する作用を果たすリントフィルター構造体５０が形成されている。リントフィルター構造体５０はこの発明の中核をなすものであり、以下においてその実施の形態を基にその構成及び作用を詳述する。
【００１３】
（洗濯機のリントフィルター構造体）
図２はリントフィルター構造体５０の斜視図であり、図２（ａ）はリントフィルター構造体５０を前面方向から見た斜視図、図２（ｂ）は背面方向から見た斜視図である。また、図３はリントフィルター構造体５０の分解斜視図である。図２〜図３に示すように、リントフィルター構造体５０は、水路ベース部６０とリントフィルターボックス７０とを備えている。
水路ベース６０は、パルセータ４の回転時、裏羽根４ａのポンプ作用により押し出された洗濯脱水槽底部の水を上方に導く流路６１，６２を左右に備えたもので、洗濯脱水槽３の側板３Ｂの内側に取り付けられ、洗濯脱水槽３の外側からねじなどにより固定されている。水路ベース６０の左右の流路６１，６２の間には、水路ベース６０の流路６１，６２を上昇した水を取り込んで、水中に含まれるリントを捕集するリントフィルター７１及びスリット７２を備えたリントフィルターボックス７０が挿入されている。
なお、符号６４は、水路ベースの背面側の流路６１，６２を上昇した水を、流路６１，６２の間に挿入されたリントフィルターボックス７０の内部へ導入するための開口６４であり、符号６９ａ，６９ｂは水路ベース６０の縦方向の外殻左右壁面を表している。
【００１４】
この例では、水路ベース６０の左右の流路６１，６２は、それらの間隔が下側から上側に行くに従って広くなる逆八の字状に配置されている。このようにすれば、パルセータ４の正転と反転に応じて、左右の流路６１，６２に効果的に水を取り込むことが可能となる。また、左右流路６１，６２への水の取込口を一カ所に集中させることができ、しかも流路の上部では左右流路６１，６２の間に広い隙間を形成することができるという利点がある。ただし、左右の流路６１，６２の配置態様は、この逆八の字状に限定されるものではなく、平行や八の字状の態様とすることも可能である。
なお、図４に示すように、水路ベース６０の左右の流路６１，６２の外縁の洗濯脱水槽３の内周面との接触面には、水密用のシール材６３を貼付して、流路６１，６２の水密性を確保するのが好ましい。
【００１５】
リントフィルターボックス７０は、前部に横長のスリット７２が縦方向に複数形成され、これら複数のスリット７２の集合部の内側面にリントを捕集するリントフィルター（これは、例えば樹脂製の水透過性膜からなる）が貼付されているリントフィルターボックスカバー８０と、リントフィルターボックスカバー８０を組み付けてリントフィルターボックス７０となり、該ボックス７０を水路ベース６０に取り付ける機能を備えたリントフィルターボックスベース９０とを有している（図３参照）。リントフィルターボックスカバー８０とリントフィルターボックスベース９０とは、リントフィルターボックスベース９０の側板に形成された係止ツメ９１が、リントフィルターボックスカバー８０の対応する切り欠き部８１に嵌り合って係止され組み付けられる。このようにしてリントフィルターボックスカバー８０を保持したリントフィルターボックスベース９０を利用して、リントフィルターボックス７０が水路ベース６０に取り付けられる（図３参照）。なお、この取り付け構造については後述する。
【００１６】
図５はリントフィルター構造体５０における水の流れを説明する説明図であり、（ａ）はリントフィルター構造体５０の背面図、（ｂ）はリントフィルターボックスカバー８０を外した状態のリントフィルター構造体５０を前面方向から見た斜視図、（ｃ）はリントフィルターボックスカバー８０が装着された状態のリントフィルター構造体５０を前面方向から見た斜視図である。パルセータ４の回転により、その裏羽根４ａの作用で押し出された水は、図５の（ａ）〜（ｂ）〜（ｃ）の順に矢印に示たような経路を流れる。すなわち、裏羽根４ａの作用で押し出された水は、水路ベース６０の左右の流路６１，６２を上昇して、リントフィルターボックス７０の内部に入り、リントフィルターボックス７０の前面のリントフィルター７１およびスリット７２を介して、洗濯脱水槽３の内部へ流れる。その過程で、水中のリントがリントフィルター７１に捕集される。
【００１７】
図５（ａ）に示すように、水路ベース６０は、左右の流路６１，６２の下端部に、上昇する水を左右の流路６１，６２に分けるテーパ状の下部誘導板６５を備えて、裏羽根４ａにより押し出された水が、それぞれの流路６１，６２に導入されやすいようにしている。  また、図５（ａ）に示すように、水路ベース６０は、左右の流路６１，６２の上部に、上昇した水を、左右の流路６１と６２の間に配したリントフィルターボックス７０の内部に導入する開口と上部誘導板６６を備えている。左右の流路６１，６２に設けられた上部誘導板６６は、背面側から見た場合、八の字状を構成している。
【００１８】
また、リントフィルターボックス７０には、水路ベース６０の流路６１，６２から水を取り込む水取込口７４が左右に形成されており（図５（ｂ）では片側の水取込口７４のみが見えている）、これら水取込口７４の開口下端部に、リントフィルターボックス７０の内側下方に向かう水呼び込み傾斜面７５が形成されている。
また、リントフィルターボックスベース９０の、左右の水取込口７４からの中間部に、それら水取込口からの水流を下方に向ける中間部誘導板９２を形成している。中間部誘導板９２は、左右の水取込口７４から流れ込んだ水を下方に曲げる作用を果たす。
さらに、リントフィルターボックス７０の内側上下方向の途中には、リントの戻り防止機構を備えるのが好ましい。そのために、この例では、リントフィルターボックスベース９０にリント戻り防止リブ９３を複数本設けている。これにより、高水位時や裏羽根４ａのポンプアップ停止時に水が逆流しても、リントの戻りが防止できる。
【００１９】
図６はパルセータ４の回転方向と水の上昇経路の関係を示すリントフィルター構造体５０の背面図である。図６（ａ）に示すように、パルセータ４が右方向に回転する場合には、背面側から見て、左側の流路６１に右側の流路６２より多くの水が取り込まれて上昇する。一方、図６（ｂ）に示すように、パルセータ４が左方向に回転する場合には、背面側から見て、右側の流路６２に左側の流路６１より多くの水が取り込まれて上昇する。
【００２０】
図７は水路ベース６０の左右の流路６１と６２の間にリントフィルターボックス７０が挿入された状態にあるリントフィルター構造体５０の概略縦断面図である。この図７により、これまで説明してきた、流路６１，６２、下部誘導板６５、上部誘導板６６、水取込口７４、水呼び込み傾斜面７５、中間部誘導板９１、およびリント戻り防止リブ９２の関係が明確に把握できるであろう。なお、下部誘導板６５の下側中央部にはスリット６５ａを設けて、リントボックス取付け部下の凹部に溜まる水を水槽２内に誘導するようにしておくのが好ましい。これにより、リントボックス取付け部下の凹部に水が溜まって腐るのを防止できる。
【００２１】
図８は洗濯脱水槽３、パルセータ４、およびリントフィルター構造体５０の配置態様を示す概略図である。洗濯脱水槽３の底部にはパルセータ４が設けられている。パルセータ４は、洗濯脱水槽３の底面３Ａと対向する下面に少なくとも１つの裏羽根４ａを有し、洗濯脱水槽３の底面３Ａと隙間を有して、回転伝達軸６により回転自在に配置されている。洗濯脱水槽３は、その底面３Ａにつながっている側板３Ｂを有しており、その側板３Ｂにリントフィルター構造体５０が取り付け固定されている。リントフィルター構造体５０を構成している水路ベース６０は、その下端部がパルセータ４の裏羽根４ａで押し出された水を取り込めるように配置されている。そして、水路ベース６０の左右流路６１，６２の下端部において、水路ベース６０のケースと洗濯脱水槽３の側面３Ｂとにより形成される水の上昇路の一部が、前後の流路断面積より狭い流路断面積とされて流路絞り部として形成されている。これにより、裏羽根４ａにより押し出された水の流速を上げて、水を上方まで引き上げることが可能になり、低水位から高水位までに対応することが可能となる。
【００２２】
図９はリントフィルターボックスカバー８０を前面方向から見た斜視図である。図９に示すように、リントフィルターボックス７０の前部を構成するリントフィルターボックスカバー８０は、水平方向に平行に配置された複数の水平リブ８６により縦方向に複数のスリット７２が形成されている。また、各水平リブ８６の間には水平リブと直交する垂直リブ８７が水平リブ８６の先端面より後退させて配置されており、水平リブ８６と垂直リブ８７の後端面は同一平面上に形成されていて、それら水平リブ８６と垂直リブ８７の後端面にリントフィルター７１が貼付されている。
垂直リブ８７は水平リブ８６を補強するためのものであり、水平リブ８６の先端面より後退させて配置することで、利用者から見えにくくしている。ただし、水平リブ８６と垂直リブ８７の後端面は、リントフィルター７１を貼り易くするため同一平面としたものである。
【００２３】
図３にも示したように、リントフィルターボックスベース９０は、リントフィルターボックスカバー８０を保持するとともに、水路ベース６０の左右の流路６１，６２間に挿入されたリントフィルターボックス７０を水路ベース６０に固定する機能を有している。その固定は、リントフィルターボックスベース９０の上端部に形成した板ばね部９６を利用して、その板ばね部９６の上端面に形成した突起９８を、水路ベース６０の上部に形成した突起係止部６８へ係合させて固定している。
図１０はそのようなリントフィルターボックスベース９０の側面図である。図３および図１０に示すように、板ばね部９６の上端面前側部に、水路ベース６０の上部に設けられている突起係止部６８と係合する左右一対の突起９８が形成されており、この一対の突起９８の間に板ばね部９６を押圧するための押圧スペース９９が設けられていて、それによりリントフィルターボックス７０が水路ベース６０に対して着脱自在となっている。このような左右一対の突起９８の配置により、リントフィルターボックス７０の水路ベース６０に対する着脱が狭い押圧スペース９９で可能となっている。なお、板ばね部９６に突起を設けずに、水路ベース６０の突起係止部６８の方に突起を設けても、同様の作用効果を奏する。
【００２４】
また、水路ベース６０とリントフィルターボックスカバー８０を、ガラス混合樹脂（例えばポリプロピレン（ＰＰ）にガラスを混ぜたもの）により形成して、その強度を上げておくのが好ましい。これに対して、リントフィルターボックスベース９０は、その板ばね部９６の弾性作用を確保するため、ガラスを混合または配合しない樹脂により、またはリントフィルターボックスカバーを形成するガラス混合樹脂よりガラスの混合割合が少ないガラス混合樹脂により形成することが好ましい。
また、リントフィルターボックスベース９０の板ばね部９６の色を、リントフィルターボックスカバー８０および水路ベース６０の色と相違させて、板ばね部９６の押圧スペースをわかりやすくしておくのが好ましい。
【００２５】
図１１は水路ベース６０の外殻を構成している縦方向の左右壁面６９ａ，６９ｂのテーパ角度を示す上面図である。リントフィルター構造体５０は、洗濯脱水槽３の内部に突出して設けられる。その突出量は、流路をほぼ同一平面内に形成しているため従来に比べて小さくはなっているものの、依然として洗濯または乾燥時に洗濯物がその突出部に引っかかって、攪拌を妨げたりモータに負荷をかけるおそれがある。それを最小限にするため、ここでは、水路ベース６０の外殻を構成している左右の端面６９ａ，６９ｂを、洗濯脱水槽３の中心方向に向かって狭まるテーパ状に形成している。
水路ベース６０の左右の端面６９ａ，６９ｂと洗濯脱水槽３の外周接線とのなす角αは、できるだけ小さくするのが好ましいが、実験などにより、５５度以下の角度であれば洗濯物の引っかかりが起こりくいことも判明している。従って、水路ベース６０の左右の端面と洗濯脱水槽３の外周接線とのなす角αは、図１１に示したように５５度以下とすることが特に好ましい。
なお、リントフィルター構造体５０の洗濯脱水槽３内部への突出部全体を円弧形状とし、その円弧径を大きくして、洗濯物の該突出部への引っかかりを低減する事もできる。
【００２６】
図１２はリントフィルターボックスカバーの垂直リブ８７の有る部分の縦断面を示した寸法説明図である。図１２に示ように、水平リブ８６同士の間の空間距離をh1、水平リブ８６の先端面から垂直リブ８７の先端面までの距離をd1としたとき、tan-1(h1/d1)≦65°とすると、洗濯脱水槽３を斜め上方から見る人に対して、垂直リブ８７を見え難くすることができる。
また、水平リブ８６同士の間の空間距離をh1、水平リブ８６の先端面から後端面までの距離をd2としたとき、tan-1(h1/d2)≦50°とすると、洗濯脱水槽３を斜め上方から見る人に対して、フィルターボックス７０の内部を見え難くすることができる。
なお、本実施の形態では、外槽２を傾斜可能としており、外槽２を傾斜させた場合には洗濯脱水槽３も傾斜するので、垂直リブ８７やフィルターボックス７０の内部をより見え難くすることができる。
これらの対応により、リントフィルター構造体５０を、意匠的にも優れたものとすることができる。
【００２７】
ところで、以上に説明した水路ベース６０とリントフィルターボックス７０とを有したリントフィルター構造体５０は、洗濯脱水槽３の複数箇所に設けてもよい。例えば、１８０度毎に２カ所、１２０度対象に３カ所、９０度毎に４カ所配置することができる。このように洗濯脱水槽３に設けるリントフィルター構造体５０の数を増やすことで、リントの捕集効率を上げることができる。
【００２８】
また、洗濯脱水槽３の回転を制御して、リントフィルター構造体５０が所定の位置、例えば、洗濯機の正面手前側に来た時に洗濯脱水槽３の回転を停止させるようにしてもよい。こうすることで、リントフィルターボックス７０を取り外して掃除することなどが容易に行える。
【図面の簡単な説明】
【００２９】
【図１】本発明の実施の形態に係る洗濯機の構成を示す断面図。
【図２】実施の形態に係るリントフィルター構造体の斜視図。
【図３】実施の形態に係るリントフィルター構造体の分解斜視図。
【図４】リントフィルター構造体の背面側における水密シール貼付の説明図。
【図５】リントフィルター構造体における水の流れを説明する説明図。
【図６】パルセータの回転方向と水の上昇経路の関係を説明するリントフィルター構造体の背面図。
【図７】水路ベースの左右の流路の間にリントフィルターボックスが挿入された状態のリントフィルター構造体の概略縦断面図。
【図８】洗濯脱水槽、パルセータおよびリントフィルター構造体の配置態様を示す概略断面図。
【図９】リントフィルターボックスカバーを前面方向から見た斜視図。
【図１０】リントフィルターボックスベースの側面図。
【図１１】水路ベースの外殻を構成している縦方向の左右の端面のテーパ角度を示す上面図。
【図１２】リントフィルターボックスカバーの垂直リブの有る部分の縦断面を示した寸法説明図。
【符号の説明】
【００３０】
１：筐体、２：外槽、３：洗濯脱水槽、３Ａ：洗濯脱水槽の底面、３Ｂ：洗濯脱水槽の側板、４：パルセータ、４ａ：裏羽根、５：モータ、６：回転伝達軸、１０，１１：吊り棒、１２：吊り棒受け部、１３：弾性支持部、２０：風路、５０：リントフィルター構造体、６０：水路ベース、６１，６２：左右の流路、６３：水密用のシール材、６４：開口、６５：下部誘導板、６６：上部誘導板、６８：突起係止部、６９ａ，６９ｂ：水路ベースの縦方向の外殻左右壁面、７０：リントフィルターボックス、７１：リントフィルター、７２：スリット、７４：リントフィルターボックスの水取込口、７５：水呼び込み傾斜面、８０：リントフィルターボックスカバー、８１：切り欠き部、８６：水平リブ、８７：垂直リブ、９０：リントフィルターボックスべース、９１：係止ツメ、９２：中間部誘導板、９３：リント戻り防止リブ、９６：板ばね部、９８：突起、９９：突起間の押圧スペース。
【図１】
2008228757.tif 000003
【図２】
2008228757.tif 000004
【図３】
2008228757.tif 000005
【図４】
2008228757.tif 000006
【図５】
2008228757.tif 000007
【図６】
2008228757.tif 000008
【図７】
2008228757.tif 000009
【図８】
2008228757.tif 000010
【図９】
2008228757.tif 000011
【図１０】
2008228757.tif 000012
【図１１】
2008228757.tif 000013
【図１２】
2008228757.tif 000014